(57)【要約】  方法は、早期データ送信のためにワイヤレスデバイスによって実施される。方法は、ブロードキャストをネットワークノードから受信することを含む。ブロードキャストは、早期データ送信の最大トランスポートブロックサイズ及びトランスポートブロックサイズ候補の数を示す。方法はさらに、早期データ送信のトランスポートブロックサイズを選択することを含む。トランスポートブロックサイズは、最大トランスポートブロックサイズ及びトランスポートブロックサイズ候補の数に対応する表入力に基づいて選択される。方法はさらに、１つ又は複数のトランスポートブロックでアップリンクデータを送信することを含む。各トランスポートブロックは選択されたトランスポートブロックサイズを有する。【選択図】図４
2021519553.tif 000002
【特許請求の範囲】
【請求項１】
早期データ送信のためのワイヤレスデバイスによって実施される方法（５００）であって、
早期データ送信のための最大トランスポートブロックサイズ及びトランスポートブロックサイズ候補の数を示すブロードキャストをネットワークノードから受信すること（５１０）と、
早期データ送信のためのトランスポートブロックサイズを選択すること（５２０）であって、当該トランスポートブロックサイズが、前記最大トランスポートブロックサイズ及び前記トランスポートブロックサイズ候補の数に対応する表入力に基づいて選択される、トランスポートブロックサイズを選択すること（５２０）と、
前記選択されたトランスポートブロックサイズをそれぞれ有する１つ又は複数のトランスポートブロックで、アップリンクデータを送信すること（５３０）と
を含む方法（５００）。
【請求項２】
前記表入力が、前記ワイヤレスデバイスが利用可能な１つ又は複数のトランスポートブロックサイズを示す、請求項１に記載の方法。
【請求項３】
前記選択されたトランスポートブロックサイズに基づいて、送信のためのリソースユニットの数又は繰返しの数を決定すること（５４０）をさらに含む、請求項１又は２に記載の方法。
【請求項４】
前記選択されたトランスポートブロックサイズに基づいて、送信のためのリソースユニットの数又は繰返しの数を決定することをさらに含む、請求項１から３のいずれか一項に記載の方法。
【請求項５】
前記最大トランスポートブロックサイズと関連付けられた符号化率に基づいて、リソースユニットの数又は繰返しの数を決定することをさらに含む、請求項１から４のいずれか一項に記載の方法。
【請求項６】
前記トランスポートブロックサイズが選択される前記表入力と関連付けられた各トランスポートブロックサイズに対するランダムアクセス応答を含むメッセージを受信することと、
前記選択されたトランスポートブロックサイズに対応する前記ランダムアクセス応答で受信されたアップリンクグラントに従って、前記ネットワークノードに対する応答を送信することと、をさらに含む、請求項１から５のいずれか一項に記載の方法。
【請求項７】
前記受信したブロードキャストがシステム情報（ＳＩ）ブロードキャストである、請求項１から６のいずれか一項に記載の方法。
【請求項８】
早期データ送信のためのネットワークノードによって実施される方法（６００）であって、
早期データ送信のための最大トランスポートブロックサイズ及びトランスポートブロックサイズ候補の数を決定すること（６１０）と、
前記決定された最大トランスポートブロックサイズ及び前記トランスポートブロックサイズ候補の数をブロードキャストすること（６２０）と、
１つ又は複数のトランスポートブロックを含む早期データ送信を受信すること（６３０）であって、当該１つ又は複数のトランスポートブロックがすべて、前記最大トランスポートサイズ及び前記示されたトランスポートブロックサイズ候補の数に対応する表入力に基づいて選択されるトランスポートブロックサイズを有する、早期データ送信を受信すること（６３０）と、
前記表入力で示される利用可能なトランスポートブロックサイズに従って、前記１つ又は複数のトランスポートブロックを復号することによって前記早期データ送信を復号すること（６４０）と
を含む方法（６００）。
【請求項９】
前記表入力で示される前記１つ又は複数の利用可能なトランスポートブロックサイズそれぞれに対するランダムアクセス応答を含むメッセージを送信すること（６５０）をさらに含む、請求項８に記載の方法。
【請求項１０】
前記最大トランスポートブロックサイズと関連付けられた早期データ送信のための符号化率を示すことをさらに含み、前記受信した早期データ送信のためのリソースユニットの数又は繰返しの数が前記示された符号化率に基づく、請求項８又は９に記載の方法。
【請求項１１】
前記受信したブロードキャストがシステム情報（ＳＩ）ブロードキャストである、請求項８から１０のいずれか一項に記載の方法。
【請求項１２】
ワイヤレスデバイス（１１０）であって、
命令を記憶するように設定されたメモリ（１３０）と、
前記命令を実行するように設定された処理回路（１２０）とを備え、当該ワイヤレスデバイスが、
早期データ送信のための最大トランスポートブロックサイズ及びトランスポートブロックサイズ候補の数を示すブロードキャストをネットワークノード（１６０）から受信し、
前記最大トランスポートブロックサイズ及び前記トランスポートブロックサイズ候補の数に対応する表入力に基づいて、早期データ送信のためのトランスポートブロックサイズを選択し、
前記選択されたトランスポートブロックサイズをそれぞれ有する１つ又は複数のトランスポートブロックで、アップリンクデータを送信するように設定されている、ワイヤレスデバイス（１１０）。
【請求項１３】
前記表入力が、前記ワイヤレスデバイスが利用可能な１つ又は複数のトランスポートブロックサイズを示す、請求項１２に記載のワイヤレスデバイス。
【請求項１４】
前記ワイヤレスデバイスが、前記選択されたトランスポートブロックサイズに基づいて、送信のためのリソースユニットの数又は繰返しの数を決定するようにさらに設定されている、請求項１２又は１３に記載のワイヤレスデバイス。
【請求項１５】
前記ワイヤレスデバイスが、前記選択されたトランスポートブロックサイズに基づいて、送信のためのリソースユニットの数又は繰返しの数を決定するようにさらに設定されている、請求項１２から１４のいずれか一項に記載のワイヤレスデバイス。
【請求項１６】
前記ワイヤレスデバイスが、前記最大トランスポートブロックサイズと関連付けられた符号化率に基づいて、リソースユニットの数又は繰返しの数を決定するようにさらに設定されている、請求項１２から１５のいずれか一項に記載のワイヤレスデバイス。
【請求項１７】
前記ワイヤレスデバイスが、
前記トランスポートブロックサイズが選択される前記表入力と関連付けられた各トランスポートブロックサイズに対するランダムアクセス応答を含むメッセージを受信し、
前記選択されたトランスポートブロックサイズに対応する前記ランダムアクセス応答で受信されたアップリンクグラントに従って、前記ネットワークノードに対する応答を送信するようにさらに設定されている、請求項１２から１６のいずれか一項に記載のワイヤレスデバイス。
【請求項１８】
前記受信したブロードキャストがシステム情報（ＳＩ）ブロードキャストである、請求項１２から１７のいずれか一項に記載のワイヤレスデバイス。
【請求項１９】
命令を記憶するように設定されたメモリ（１８０）と、
前記命令を実行するように設定された処理回路（１７０）とを備え、ネットワークノードが、
早期データ送信のための最大トランスポートブロックサイズ及びトランスポートブロックサイズ候補の数を決定し、
前記決定された最大トランスポートブロックサイズ及び前記トランスポートブロックサイズ候補の数をブロードキャストし、
前記最大トランスポートサイズ及び前記示されたトランスポートブロックサイズ候補の数に対応する表入力に基づいて選択されるトランスポートブロックサイズを１つ又は複数のトランスポートブロックがすべて有する、前記１つ又は複数のトランスポートブロックを含む早期データ送信を受信し、
前記表入力で示される利用可能なトランスポートブロックサイズに従って、前記１つ又は複数のトランスポートブロックを復号することによって前記早期データ送信を復号するように設定されている、ネットワークノード（１６０）。
【請求項２０】
前記ネットワークノードが、前記表入力で示される前記１つ又は複数の利用可能なトランスポートブロックサイズそれぞれに対するランダムアクセス応答を含むメッセージを送信するようにさらに設定されている、請求項１９に記載のネットワークノード。
【請求項２１】
前記ネットワークノードが、前記最大トランスポートブロックサイズと関連付けられた早期データ送信のための符号化率を示すようにさらに設定され、前記受信した早期データ送信のためのリソースユニットの数又は繰返しの数が前記示された符号化率に基づく、請求項１９又は２０に記載のネットワークノード。
【請求項２２】
前記受信したブロードキャストがシステム情報（ＳＩ）ブロードキャストである、請求項１９から２１のいずれか一項に記載のネットワークノード。
【請求項２３】
コンピュータ可読プログラムコードを記憶する非一時的コンピュータ可読媒体（１８０）を備えたコンピュータプログラム製品であって、前記コンピュータ可読プログラムコードが、
早期データ送信のための最大トランスポートブロックサイズ及びトランスポートブロックサイズ候補の数を示すブロードキャストをネットワークノードから受信するプログラムコードと、
早期データ送信のためのトランスポートブロックサイズを選択するプログラムコードであって、前記トランスポートブロックサイズが、前記最大トランスポートブロックサイズ及び前記トランスポートブロックサイズ候補の数に対応する表入力に基づいて選択される、プログラムコードと、
前記選択されたトランスポートブロックサイズをそれぞれ有する１つ又は複数のトランスポートブロックで、アップリンクデータを送信するプログラムコードと
を含む、コンピュータプログラム製品。
【請求項２４】
前記コンピュータ可読プログラムコードが、請求項１から７のいずれか一項に記載の方法に従って動作するためのコンピュータ可読プログラムコードをさらに含む、請求項２３に記載のコンピュータプログラム製品。
【請求項２５】
コンピュータ可読プログラムコードを記憶する非一時的コンピュータ可読媒体（１８０）を備えたコンピュータプログラム製品であって、前記コンピュータ可読プログラムコードが、
早期データ送信のための最大トランスポートブロックサイズ及びトランスポートブロックサイズ候補の数を決定するプログラムコードと、
前記決定された最大トランスポートブロックサイズ及び前記トランスポートブロックサイズ候補の数をブロードキャストするプログラムコードと、
１つ又は複数のトランスポートブロックを含む早期データ送信を受信するプログラムコードであって、前記１つ又は複数のトランスポートブロックがすべて、前記最大トランスポートサイズ及び前記示されたトランスポートブロックサイズ候補の数に対応する表入力に基づいて選択されるトランスポートブロックサイズを有する、プログラムコードと、
前記表入力で示される利用可能なトランスポートブロックサイズに従って、前記１つ又は複数のトランスポートブロックを復号することによって前記早期データ送信を復号するプログラムコードと
を含む、コンピュータプログラム製品。
【請求項２６】
前記コンピュータ可読プログラムコードが、請求項８から１１のいずれか一項に記載の方法に従って動作するためのコンピュータ可読プログラムコードをさらに含む、請求項２５に記載のコンピュータプログラム製品。
【発明の詳細な説明】
【技術分野】
【０００１】
関連出願
本出願は、２０１８年４月５日付けの仮特許出願第６２／６５３，４５１号、名称「早期データ送信に対する複数ＴＢＳ選択のためのシステム情報指示（Ｓｙｓｔｅｍ  Ｉｎｆｏｒｍａｔｉｏｎ  Ｉｎｄｉｃａｔｉｏｎ  ｆｏｒ  Ｍｕｌｔｉｐｌｅ  ＴＢＳ  Ｓｅｌｅｃｔｉｏｎ  ｆｏｒ  Ｅａｒｌｙ  Ｄａｔａ  Ｔｒａｎｓｍｉｓｓｉｏｎ）」の利益を主張し、その内容の全体を参照により本明細書に組み込む。
【０００２】
本開示の特定の実施形態は、全体として、ワイヤレス通信に関し、より詳細には、早期データ送信のためのトランスポートブロックサイズ選択に関する。
【背景技術】
【０００３】
マシンツーマシン（Ｍ２Ｍ）及び／又は物のインターネット（ＩｏＴ）に関連する使用例を網羅する技術を指定する研究が特定の標準化団体において継続している。たとえば、第３世代パートナーシッププロジェクトの一番最近の研究（３ＧＰＰ＿Ｒｅｌｅａｓｅ  １３及び１４）としては、新しいユーザ機器（ＵＥ）分類（Ｃａｔ−Ｍ１、Ｃａｔ−Ｍ２）を含むマシン型通信（ＭＴＣ）に対応する改良、６以下に低減された帯域幅及び２４個の物理的リソースブロック（ＰＲＢ）に対応する改良、並びに新無線インターフェースを提供する狭帯域ＩｏＴ（ＮＢ−ＩｏＴ）ＵＥ（及び、ＵＥ分類Ｃａｔ−ＮＢ１及びＣａｔ−ＮＢ２）が挙げられる。
【０００４】
ここで、ＭＴＣに関する３ＧＰＰ  Ｒｅｌｅａｓｅ１３、１４、及び１５で導入されたロングタームエボリューション（ＬＴＥ）の改良は、帯域幅制限ＵＥ（Ｃａｔ−Ｍ１）に対する対応、及びカバレッジ拡張に対する対応を含む（それらに限定されない）、帯域幅低限低複雑度（ＢＬ）又はカバレッジ拡張（ＣＥ）ＵＥとして知られる、ＬＴＥ−Ｍとして知られる「ｅＭＴＣ」を指すことがある。これは、ＮＢ−ＩｏＴ（本明細書では、いずれのリリースも指す）とは異なる考察であるが、対応している特徴は一般レベルでは類似している。
【０００５】
拡張ＭＴＣ及びＮＢ−ＩｏＴの両方に関して、「セルラＩｏＴ（ＣＩｏＴ）エボルブドパケットシステム（ＥＰＳ）ユーザプレーン（ＵＰ）最適化」及び「ＣＩｏＴ  ＥＰＳ制御プレーン（ＣＰ）最適化」シグナリング削減も、Ｒｅｌ−１３に導入された。前者は、本明細書ではＵＰソリューションと呼ぶが、ＵＥが以前に記憶した無線リソース制御（ＲＲＣ）接続を再開するのを可能にする（したがって、ＲＲＣ一時停止／再開とも呼ばれる）。後者は、本明細書ではＣＰソリューションと呼ぶが、非アクセス階層（ＮＡＳ）を通じてユーザプレーンデータを送信するのを可能にする（ダウンリンクＮＡＳ（ＤｏＮＡＳ）として知られる）。
【０００６】
３ＧＰＰ  Ｒｅｌｅａｓｅ  １５の場合、新しい研究項目（ＷＩ）「ＬＴＥ向けのＭＴＣのさらなる改良（ＬＴＥ＿ｅＭＴＣ４）」［ＷＩ＿ｅＭＴＣ］及び「さらなるＮＢ−ＩｏＴの改良（ＮＢ＿ＩＯＴｅｎｈ２）」［ＷＩ＿ＮＢＩＯＴ］は、ｅＭＴＣ及びＮＢ−ＩｏＴの改良をそれぞれ目標にしている。これらのＷＩ両方において、共通のゴールは、ランダムアクセス（ＲＡ）手続き中にできるだけ早期にデータを送出する可能性を導入することによって、ＵＥ消費電力及びレイテンシを低減することである。
［ＷＩ＿ｅＭＴＣ］によると、
・早期データ送信［ＲＡＮ２  ｌｅａｄ，ＲＡＮ１，ＲＡＮ３］に対応する
・少なくともＲＲＣ一時停止／再開の事例において、消費電力／レイテンシ利得を評価し、（ＰＲＡＣＨ送信後であってＲＲＣ接続セットアップが完了する前の）ＲＡ手続き中の専用リソースにおけるＤＬ／ＵＬデータ送信に対する必要な対応を指定する。
また、［ＷＩ＿ＮＢＩＯＴ］によると、
消費電力／レイテンシ利得を評価し、ＮＰＲＡＣＨ送信後であってＲＲＣ接続セットアップが完了する前の、ＲＡ手続き中の専用リソースにおけるＤＬ／ＵＬデータ送信に対する必要な対応を指定する。［ＲＡＮ２，ＲＡＮ１，ＲＡＮ３］
【０００７】
ＲＡＮ２＃９９の間、早期データ送信（ＥＤＴ）に対するいくつかの寄与が考察され、合意の１つは、Ｒｅｌ−１３  ＵＰソリューションに関してＭｓｇ４の早期アップリンク（ＵＬ）データ送信に対応することである。
【０００８】
提示した解決策の説明を容易にするため、ＲＡ手続きのメッセージは、一般にメッセージ１（Ｍｓｇ１）〜メッセージ４（Ｍｓｇ４）と呼ばれる。ＴＳ３６．３００から、競合ベースのＲＡ手続きは図１のように示される。
【０００９】
実際の使用例に応じて、ＥＤＴを、ＵＬ  Ｍｓｇ３のみ、又はＤＬ  Ｍｓｇ４のみ、又はＭｓｇ３及びＭｓｇ４の両方に対して可能にできることが、一般に合意されている。既存の解決策では、ＵＥは、Ｍｓｇ１のプリアンブルを選択する手法によって、ＥＤＴを使用する意図があることを示すことができる。しかしながら、これには、ある種のプリアンブル分割が必要であり、それによって（Ｎ）ＰＲＡＣＨ性能に悪影響がある。
【００１０】
プリアンブル及びＰＲＡＣＨリソース分割／設定並びにＭｓｇ３データサイズの指示に関する以下の合意は、ＲＡＮ２＃１００において成された。
−ＵＥは、ＵＥが送信しようとするユーザデータを含むＭｓｇ３のサイズが、ＣＥごとのＭｓｇ３ブロードキャストのための可能な最大ＴＢＳサイズ以下である場合、Ｍｓｇ１でＥＤＴを開始する。
−ＥＤＴ指示のためのＰＲＡＣＨ分割は、拡張カバレッジレベルごとに設定される。
−作業仮説：この事例のセグメント化に対する対応は優先されない。
−作業仮説：ＣＥごとのレガシー又は最大ＴＢＳブロードキャスト以外の意図されるデータサイズを指示することに、ＰＲＡＣＨリソース分割は対応しない。
−ＦＦＳ  Ｍｓｇ３におけるパディングの問題にどのように対処するか。
−ＵＥ分類はＭｓｇ１では指示されない。
−ＥＤＴ指示に関して、ＰＲＡＣＨリソースは、物理的レイヤリソース、プリアンブル／サブキャリアに関しては、レガシーｅＭＴＣ又はＮＢ−ＩｏＴと同様に設定することができる。
−ＥＤＴ指示のためのＰＲＡＣＨリソースプール、即ち物理的レイヤリソース、プリアンブル／サブキャリアは、レガシーＲＡＣＨ手続きのためのＰＲＡＣＨリソースプールとは別個である。
【００１１】
ＵＥデータサイズが非常に小さい場合の、Ｍｓｇ３送信、及び比較的多量のパディングを含める必要があり得ることに関する問題に対処するため、その課題についてさらに検討することが合意されている。
【００１２】
Ｍｓｇ３送信に関するＲＡＲに含まれるＬＴＥ−Ｍグラントにおける現在の情報は、［３ＧＰＰ  ＴＳ  ３６．２１３で指定されているような］以下のことを含む。
2021519553.tif 000003
【００１３】
Ｍｓｇ３送信に関するＲＡＲに含まれるＮＢ−ＩｏＴグラントにおける現在の情報は、［３ＧＰＰ  ＴＳ  ３６．２１３で指定されているような］以下のことを含む。
１６．３．３  狭帯域ランダムアクセス応答グラント
【００１４】
上位レイヤは、３ＧＰＰ  ＴＳ  ３６．３２１で規定されているように、物理的レイヤに対するＮｒ−ｂｉｔ  ＵＬグラントを示す。これは、物理的レイヤの狭帯域ランダムアクセス応答グラントと呼ばれる。
【００１５】
Ｎｒ−ｂｉｔ＝１５であり、ＭＳＢで始まりＬＳＢで終わるこれらの１５ビットの内容は次の通りである。
−アップリンクサブキャリア間隔Δｆは、「０」＝３．７５ｋＨｚ又は「１」＝１５ｋＨｚで、１ビットである。
−サブキャリア指示フィールドＩＳＣは、１６．５．１．１項で決定されているように、６ビットである。
−遅延フィールド（ＩＤｅｌａｙ）は、ＩＤｅｌａｙ＝０に対してｋ０＝１２と１６．５．１項で決定されているように、ＮＢ−ＩｏＴ  ＤＬサブフレームｎが、狭帯域ランダムアクセス応答グラントと関連付けられたＮＰＤＳＣＨが送信される最終サブフレームである場合、２ビットである。
−Ｍｓｇ３繰返し数ＮＲｅｐは、１６．５．１．１項で決定されているように、３ビットである。
−表１６．３．３−１に従って、Ｍｓｇ３のＴＢＳ、変調、及びＲＵの数を示すＭＣＳインデックスは、３ビットである。
【００１６】
Ｍｓｇ３の第１の送信の冗長バージョンは０である。
【００１７】
ＲＡＮ２電子メールの検討（１００＃３８）では、パディングの問題が解決されるべきであると特定されている。
「パディングは、Ｍｓｇ３のＭＡＣ  ＰＤＵを（再）構築するプロセスにおいてＭＡＣサブレイヤで行われるものであり、本項は、ＵＥのＭＡＣサブレイヤが、ＵＥが受信した対応するＵＬグラントに従ってＭｓｇ３  ＰＤＵをどのように（再）構築するかについて、何らかの背景的説明を提供する。この目的は、ＥＤＴのＭｓｇ３におけるパディングの問題並びに可能な解決策を検討するのを容易にすることである。
現在、ＴＳ  ３６．３２１、セクション５．１及び５．４で指定されているように、ＵＥには、Ｍｓｇ２でＵＬグラントが、即ちＭｓｇ３を送信するというＲＡＲメッセージが提供される。ＭＡＣサブレイヤは、ＲＬＣサブレイヤが提示したＣＣＣＨ論理チャネルからのデータに基づいて、Ｍｓｇ３  ＰＤＵを構築し、次にそれをＭｓｇ３バッファに記憶する。ＭＡＣエンティティは、ＰＤＵをＭｓｇ３バッファから取得し、受信したＵＬグラントに従ってＭｓｇ３の送信を生成するようにＰＨＹレイヤに命令する。ＵＥは、Ｍｓｇ３を送信すると、ｍａｃ−ＣｏｎｔｅｎｔｉｏｎＲｅｓｏｌｕｔｉｏｎＴｉｍｅｒを開始し、Ｍｓｇ４か、又はＭｓｇ３再送信のためのＵＬグラントのどちらかを受信するため、（Ｎ）ＰＤＣＣＨを監視する。Ｍｓｇ４の競合解消が失敗と見なされた場合、ＵＥはＲＡ手続きを再び開始する。後続のＲＡ試行において、ＵＥは、新しいものを構築するのではなく、Ｍｓｇ３バッファからＭｓｇ３  ＰＤＵを取得して送信することに留意されたい。Ｍｓｇ３再送信の場合、ｅＮＢは、（ｍａｃ−ＣｏｎｔｅｎｔｉｏｎＲｅｓｏｌｕｔｉｏｎＴｉｍｅｒが時間切れになる前に）Ｍｓｇ４ではなく（Ｎ）ＰＤＣＣＨを介して新しいＵＬグラントをＵＥに送出し、ＵＥはまた、新しく提供されたＵＬグラントを使用して、Ｍｓｇ３バッファからＰＤＵを取得して再送信する。
ＥＤＴでは、Ｍｓｇ３  ＭＡＣ  ＰＤＵは、提供されるＵＬグラントよりも大きくても小さくてもよい。たとえば、ＵＥがＭｓｇ２でＵＬグラントを受信し、提供されたグラントが、潜在的なＭｓｇ３  ＰＤＵ（即ち、ＵＬデータを含む）に適応するのには不十分であることに気づく場合である。この場合、ＵＥに関する１つの可能性は、レガシーＭｓｇ３の送信にフォールバックすることである。しかしながら、ＵＬグラントはレガシーＭｓｇ３のサイズよりも大きいことがあり、パディングビットによってリソースが不必要に無駄になる。他の極端な例では、ＵＬグラントがすべてのペンディング中のＵＬデータに適応するのに必要なサイズよりも大きい場合、ＵＬリソースが無駄になることがある。それに加えて、ＵＥが、既にＭｓｇ３バッファに記憶されているＭｓｇ３  ＰＤＵを（再）送信する、より小さい又は大きいＵＬグラントを受信した場合、類似の状況が起こることもある。このパディングの問題は、ＣＰ及びＵＰ  ＥＤＴ両方の解決策においてある程度起こる。
問題１：ＵＥに、たとえば、Ｍｓｇ３送信のための１０００ビットのグラントが割り当てられるが、実際のデータサイズはそれよりもはるかに小さく、たとえばわずか１００ビットである。
結果：１００ビット＋可能性があるヘッダのペイロードが最大１０００ビットまでパディングされ、潜在的に、提供されたグラントがより小さいＴＢＳに対するものであった場合に必要であろう量と比較して、送信時間が長くなり（したがって、消費電力、レイテンシも増加し）、システムリソース消費が増加する。これらの問題は、必要な繰返し数によってカバレッジが深くなる場合に強調される。
特に、アップリンクＴＸ時間がＵＥの消費電力に著しく影響することに注目すべきである。
問題２：ＵＥに、レガシー１よりも大きいが、実際のデータサイズに適応するのには不十分なＵＬグラントが割り当てられ、ＵＥがレガシーＭｓｇ３にフォールバックする。
レガシーＭｓｇ３に対して必要なＵＬグラントよりも大きいものを使用すると、Ｍｓｇ３  ＭＡＣ  ＰＤＵでパディングが必要であり、それによって、以下の場合に必要であろう量と比較して、消費電力（＋レイテンシ）が増加し、システムリソース消費が増加する。
−より小さいＵＬグラントが提供された場合、
−又は、たとえばセグメント化を使用することによって、ＵＥがレガシーＭｓｇ３へのフォールバックを行わない場合。
【００１８】
この項目に対する最新の合意は以下に列挙する通りである。
ＮＢ−ＩｏＴの場合、ＲＡＮ１が、Ｒｅｌ−１３からＮＰＵＳＣＨ  ＴＢＳ値を選択し、少なくとも５つのＭＣＳ／ＴＢＳ／ＲＵサイズの組合せに対応することが実現可能である（ＲＵ＝リソースユニット）。
ｅＭＴＣの場合、ＲＡＮ１が、Ｒｅｌ−１３からＰＵＳＣＨ  ＴＢＳ値を選択し、Ｍｓｇ３における早期データ送信の最大ＴＢＳは、ＰＲＡＣＨ  ＣＥレベル０及び１の場合は１０００ビット、ＰＲＡＣＨ  ＣＥレベル２及び３の場合は９３６ビットである。
ＮＢ−ＩｏＴの場合、ＲＡＮ１について次のことが合意されている。
・ＥＤＴに使用することができるＭＣＳ／ＴＢＳ／ＲＵ状態の数は次のものから選択される。
・限定されたＭＣＳ／ＴＢＳ／ＲＵ状態
・代案０：５つの未使用のＭＣＳ／ＴＢＳ／ＲＵ状態、及びＳＩＢの０ビット
・代案１：ＲＡＲからの１つのスペアビット及びＳＩＢの０ビットを使用することにより、できるだけ多くに対応
・代案２：ＲＡＲからの２つのスペアビット及びＳＩＢの０ビットを使用することにより、できるだけ多くに対応
・代案３：ＳＩＢの２ビット及びＲＡＲの０のスペアビットを使用することにより、できるだけ多くに対応
・代案４：ＳＩＢの最大ＴＢＳ値及びＲＡＲの０のスペアビットを使用することにより、できるだけ多くに対応
・代案５：新しい／修正されたＵＬグラントに使用されるＲＡＲの１つのスペアビット、及びＳＩＢの０ビット
・ＲＡＮ１の観点から、
・Ｍｓｇ３のアップリンクＥＤＴに対するＲＡＲ  ＵＬグラントにおける、アップリンクサブキャリア間隔フィールド、サブキャリア指示フィールド、スケジューリング遅延フィールド、及びＭｓｇ３繰返し数フィールドは、現在のＲＡＮ２合意に従って変更する必要はない。上記は上述の代案１〜４に当てはまる。
【００１９】
さらに、ＲＡＮ２に戻っていくつかの疑問点があり、それがＲＡＮ２＃１０１における以下の合意に至った。
2021519553.tif 000004
2021519553.tif 000005
2021519553.tif 000006
【００２０】
最後の合意に示されるように、ＬＳ（Ｒ２−１８０３８８４）はＲＡＮ１に送出されて、これらのＲＡＮ２合意に関して通知し、ＲＡＮ１の確認をペンディングしている合意を確認している。
【００２１】
やはりこの問題に関連して、以下の合意がＲＡＮ１＃９２において成された。
合意
・システム情報でブロードキャストされる最大ＴＢＳは、Ｒｅｌ−１３のＰＵＳＣＨ表から得た８つの値から選択される。
・ＵＥに関する最大ブロードキャストＴＢＳ値の中から選ばれる、その値以下の最大４つの可能なＴＢＳは、ＦＦＳである。ＦＦＳ：ＵＥが最大４つの可能な値をどのように取得するか。
合意
設定された最大のものよりも小さいＴＢＳを使用できるようにするＮＷに対応する。ＦＦＳの詳細。
合意は、「ＰＵＳＣＨ」又は「ＮＰＵＳＣＨ」の使用を除いて、ＮＢ−ＩｏＴ及びＬＴＥ−Ｍで同一である。
【発明の概要】
【００２２】
現在、特定の課題が存在している。上述の合意から見て、最大（ｍａｘ）ＴＢＳがシステム情報（最大８つの値）でブロードキャストされるものとすること、並びにＵＥが、この最大値以下の一連の最大４つのＴＢＳで、トランスポートブロックサイズ（ＴＢＳ）を自律的に選択できるべきであることが合意されている。しかしながら、ＵＬグラントが同じサイズを維持しなければならないという限定の中で、多くの異なる組合せにどのように対応するかについては、解決策は提供されていない。
【００２３】
本開示の特定の態様及びそれらの実施形態は、これら又は他の課題に対する解決策を提供することができる。特定の実施形態では、システム情報（ＳＩ）でブロードキャストされるＴＢＳ候補の数に基づいた、最大４つのＴＢＳに対するＵＥ自律型のＴＢＳ選択の解決策が提案される。早期データ送信機能を使用して、ペイロードの競合ベースの送信が行われることがあり、たとえば、他のＵＥと調和しないリスクがあり、そのことがセルの負荷が大きいときの多数の再送信及び混雑につながる場合がある。本明細書に記載する特定の実施形態は、たとえば負荷に応じて、セルにおける早期データ送信のオンオフを切り替えてこの欠点を回避する、動的な手法を提供する。
【００２４】
一実施形態によれば、方法は早期データ送信のためにワイヤレスデバイスによって実施される。方法は、ブロードキャストをネットワークノードから受信することを含む。ブロードキャストは、早期データ送信の最大トランスポートブロックサイズ及びトランスポートブロックサイズ候補の数を示す。方法はさらに、早期データ送信のトランスポートブロックサイズを選択することを含む。トランスポートブロックサイズは、最大トランスポートブロックサイズ及びトランスポートブロックサイズ候補の数に対応する表入力に基づいて選択される。方法はさらに、１つ又は複数のトランスポートブロックでアップリンクデータを送信することを含む。各トランスポートブロックは選択されたトランスポートブロックサイズを有する。
【００２５】
別の実施形態によれば、コンピュータプログラム製品は、コンピュータ可読プログラムコードを記憶する非一時的コンピュータ可読媒体を含む。コンピュータ可読プログラムコードは、上記方法を実施するように動作可能なプログラムコードを含む。
【００２６】
さらに別の実施形態によれば、ワイヤレスデバイスは、命令を記憶するように設定されたメモリと、命令を実行するように設定された処理回路とを備える。ワイヤレスデバイスは、ブロードキャストをネットワークノードから受信するように設定される。ブロードキャストは、早期データ送信の最大トランスポートブロックサイズ及びトランスポートブロックサイズ候補の数を示す。ワイヤレスデバイスはさらに、早期データ送信のためのトランスポートブロックサイズを選択するように設定される。トランスポートブロックサイズは、最大トランスポートブロックサイズ及びトランスポートブロックサイズ候補の数に対応する表入力に基づいて選択される。ワイヤレスデバイスはさらに、１つ又は複数のトランスポートブロックでアップリンクデータを送信するように設定される。各トランスポートブロックは選択されたトランスポートブロックサイズを有する。
【００２７】
特定の実施形態では、方法／ワイヤレスデバイス／コンピュータプログラム製品は、以下の１つ若しくは複数など、１つ若しくは複数の追加及び／又は任意の機能を有してもよい。
【００２８】
特定の実施形態では、表入力は、ワイヤレスデバイスに利用可能な１つ又は複数のトランスポートブロックサイズを示す。
【００２９】
特定の実施形態では、方法／ワイヤレスデバイス／コンピュータプログラム製品はさらに、選択されたトランスポートブロックサイズに基づいて、送信のためのリソースユニットの数、又は送信の繰返しの数を決定する。
【００３０】
特定の実施形態では、方法／ワイヤレスデバイス／コンピュータプログラム製品は、選択されたトランスポートブロックサイズに基づいて、或いは最大トランスポートブロックサイズと関連付けられた符号化率に基づいて、リソースユニットの数及び／又は送信の繰返しの数を決定する。
【００３１】
特定の実施形態では、方法／ワイヤレスデバイス／コンピュータプログラム製品はさらに、トランスポートブロックサイズが選択された表入力と関連付けられた、各トランスポートブロックサイズに関するランダムアクセス応答を含むメッセージを受信する。方法／ワイヤレスデバイス／コンピュータ可読プログラムは、アップリンクグラントに従って、応答をネットワークノードに送信する。アップリンクグラントは、選択されたトランスポートブロックサイズに対応する、ランダムアクセス応答で受信したものである。特定の実施形態では、受信したブロードキャストはシステム情報（ＳＩ）ブロードキャストである。
【００３２】
一実施形態によれば、方法は早期データ送信のためにネットワークノードによって実施される。方法は、早期データ送信のための最大トランスポートブロックサイズ及びトランスポートブロックサイズ候補の数を決定することと、決定した最大トランスポートブロックサイズ及びトランスポートブロックサイズ候補の数をブロードキャストすることと、１つ又は複数のトランスポートブロックを含む早期データ送信を受信することと、表入力で示される利用可能なトランスポートブロックサイズに従って１つ又は複数のトランスポートブロックを復号することによって、早期データ送信を復号することと、を含む。１つ又は複数のトランスポートブロックはすべて、最大トランスポートサイズ及びトランスポートブロックサイズ候補の指示された数に対応する表入力に基づいて選択されたトランスポートブロックサイズを有する。方法はさらに含む。
【００３３】
別の実施形態によれば、コンピュータプログラム製品は、コンピュータ可読プログラムコードを記憶する非一時的コンピュータ可読媒体を含む。コンピュータ可読プログラムコードは、上記方法を実施するように動作可能なプログラムコードを含む。
【００３４】
別の実施形態によれば、ネットワークノードは、命令を記憶するように設定されたメモリと、命令を実行するように設定された処理回路とを備える。ネットワークノードは、早期データ送信のための最大トランスポートブロックサイズ及びトランスポートブロックサイズ候補の数を決定し、決定した最大トランスポートブロックサイズ及びトランスポートブロックサイズ候補の数をブロードキャストし、１つ又は複数のトランスポートブロックを含む早期データ送信を受信し、表入力で示される利用可能なトランスポートブロックサイズに従って１つ又は複数のトランスポートブロックを復号することによって、早期データ送信を復号するように設定される。１つ又は複数のトランスポートブロックはすべて、最大トランスポートサイズ及びトランスポートブロックサイズ候補の指示された数に対応する表入力に基づいて選択されたトランスポートブロックサイズを有する。ネットワークノードはさらに設定される。
【００３５】
特定の実施形態では、方法／ネットワークノード／コンピュータプログラム製品は、以下の１つ若しくは複数など、１つ若しくは複数の追加及び／又は任意の機能を有してもよい。
【００３６】
特定の実施形態では、方法／ネットワークノード／コンピュータプログラム製品は、表入力で示される１つ又は複数の利用可能なトランスポートブロックサイズそれぞれに対して、ランダムアクセス応答を含むメッセージを送信する。
【００３７】
特定の実施形態では、方法／ネットワークノード／コンピュータプログラム製品は、最大トランスポートブロックサイズと関連付けられた早期データ送信のための符号化率を示す。受信した早期データ送信に関するリソースユニットの数及び繰返しの数は、示される符号化率に基づく。
【００３８】
特定の実施形態では、受信したブロードキャストはシステム情報（ＳＩ）ブロードキャストである。
【００３９】
特定の実施形態は、以下の技術的利点の１つ又は複数を提供してもよい。たとえば、特定の実施形態は、組合せＴＢサイズ、リソースユニット／繰返しの数、ＴＢＳ候補の数の選択において、より高い柔軟性を可能にする。付加された柔軟性は、セルの不必要な再送信及び混雑を低減する助けとなることがある。結果として、レイテンシが低減されてもよく、追加の帯域幅がユーザに対して利用可能になってもよい。別の例として、特定の実施形態は、ネットワークノードによって示される最大トランスポートブロックサイズ及び候補のサイズの数に基づいて、トランスポートブロックサイズを選択する技術を提供する。このようにして、ワイヤレスデバイスは、早期データ送信のための決定可能なトランスポートブロックサイズを選択してもよい。
【００４０】
特定の実施形態は、上記に列挙した利点を１つも有さないか、そのいくつか、又はすべてを有してもよい。他の利点は当業者には容易に明白となり得る。
【００４１】
開示される実施形態並びにそれらの特徴及び利点をさらに完全に理解するため、以下、添付図面と併せて以下の説明を参照する。
【図面の簡単な説明】
【００４２】
【図１】ユーザ機器とネットワークノードとの間の競合ベースのランダムアクセス手続きに関する一例のシグナリング図である。
【図２】異なるトランスポートブロックサイズを有する複数のランダムアクセス応答に関する同じプリアンブルを示す、媒体アクセス制御（ＭＡＣ）ペイロードと複数のサブヘッダを有するヘッダとの構造の一例を示す図である。
【図３】特定の実施形態によるワイヤレスネットワークの一例を示す図である。
【図４】特定の実施形態による、ワイヤレスデバイスによって実施される方法の一例を示す図である。
【図５】特定の実施形態による、ネットワークノードによって実施される方法の一例を示す図である。
【発明を実施するための形態】
【００４３】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００４４】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴、及び利点は以下の説明から明白になるであろう。
【００４５】
ＵＥが選ぶことができるＴＢＳ候補の数は、含まれる各ＴＢＳに対してブラインド復号を行う必要があるので、ｅＮＢの処理能力に関連する。たとえば、ｅＮＢは、どのＴＢＳが候補から選択されるかを知らず、したがって、適正な復号が完了するまで、各ＴＢＳ候補に対して復号を試行しなければならない場合がある。この能力は動的に変化することがあり、たとえば、ネットワークノードは、後でブラインド復号を試行するため、より多くの利用可能なリソースを有する。特定の実施形態では、ＴＢＳ候補の数は、次のように、ＳＩの情報要素（ＩＥ）に、たとえばシステムブロードキャスト、たとえばＳＩＢ２に含まれてもよい。
ＥＤＴ−ＴＢＳｓｅｌｅｃｔｉｏｎ−ＮＢ−ｒ１５  ＥＮＵＭＥＲＡＴＥＤ｛ｎ１，ｎ２，ｎ３，ｎ４｝ＯＰＴＩＯＮＡＬ  −−Ｎｅｅｄ  ＯＲ
【００４６】
特定の実施形態では、この数は、ワイヤレスデバイスが早期データ送信で使用する一連の候補ＴＢＳを決定するのに、ＥＤＴのためのシグナリングされた最大ＴＢＳで使用されてもよい。ＵＥが選ぶことができるＴＢＳは、特定の実施形態に従って、表によって決定することができる。その一例は以下に提供される。特に、表は、ブロードキャストによってシグナリングされるＴＢＳ候補の数（たとえば１〜４であるが、４を超える数を含んでもよい、表２のｎｉ）、及びブロードキャストでシグナリングされる最大ＴＢＳ、たとえば（表２の列見出しに示されるような）３２０ビット、４２４ビット、…１０００ビットなどによって入力が規定される、二次元テーブルであってもよい。したがって、これらのパラメータ、ｎｉ及び最大ＴＢＳの組合せに基づいて、表入力の１つが特定されてもよい。たとえば、ｎｉ＝３及び最大ＴＢＳ＝８０８の場合、行「３」及び列「８０８」の表入力が示されてもよい。したがって、利用可能なＴＢＳは、３２０、６１６、及び８０８であろう。このようにして、ワイヤレスデバイスは、既定の表に基づいて選択されるＴＢＳの限定された選択肢を備えてもよい。表２は、ブロードキャストにおける特定のｎｉの値及び最大ＴＢＳの値を示しているが、ｎｉ及び最大ＴＢＳの任意の適切な値が本明細書において想起される。
2021519553.tif 000007
【００４７】
特定の実施形態では、値は、既存の（Ｎ）ＰＵＳＣＨ  ＴＢサイズに対してビット整列されてもよく、各セットの範囲はパディングの量を最小限にするように最適化されてもよい。たとえば、利用可能なＴＢＳサイズは、最小の３２０ビットからシグナリングされた最大のＴＢＳまでの範囲であってもよい。これによって、たとえば、ＵＬペイロードサイズのランダムで均一な分布のため、「未使用ビット」（たとえば、パディング）の数を最小限にしてもよい。表２のより小さいＴＢＳ値は、８つの最大ＥＤＴ  ＴＢＳサイズに必ずしも制限されなくてもよいことに留意されたい。たとえば、ＵＥが選んでもよいＴＢＳ値の１つ又は複数は、８つの最大ＥＤＴ  ＴＢＳサイズとは異なってもよい。
【００４８】
ＴＢＳサイズに加えて、ＵＬグラントは、リソース割当て、リソースユニット（ＲＵ）／繰返しの数、ＭＣＳなどを示してもよい。いくつかの実施形態では、リソース割当て、ＲＵ、繰返し、ＭＣＳは、ＵＬグラントによって明示的に示される。いくつかの実施形態では、リソース割当て、ＲＵ、繰返し、ＭＣＳは、ＵＬグラントによって間接的に示される。顕著には、これらはリリース１３の実施において単一のＴＢＳに対してのみ示されてもよい。特定の実施形態では、ＵＬグラントサイズは同じであり、たとえば、これらのフィールドは１つのＴＢＳに対してのみ示されてもよい。したがって、特定の実施形態では、予め規定されたマッピング（たとえば、仕様書のハードコード化された表、又はＳＩで半静的に設定されたもの）は、これらのパラメータを他のＴＢＳにどのようにマッピングするかを決定するように規定されてもよい。たとえば、ＮＢ−ＩｏＴに関して、最大ＴＢＳに対するＲＵの数がＤＣＩで動的に示され、ＴＢＳ候補の数（下記の「ＮＲ  ＴＢＳ」）がＳＩでシグナリングされる場合、ＵＥは、最大よりも少ないＴＢＳが選択された場合に適用すべきＲＵがいくつあるかを決定してもよい。いくつかの実施形態では、これは、この場合は以下の表によって規定することができる。
2021519553.tif 000008
【００４９】
上述の表３は非限定例としてのみ役立つ。ＬＴＥ−Ｍの場合、ＲＵの数は、カバレッジ拡張に適用された繰返しの数に置き換えられてもよい。上述の例では、ＲＵの数は、最大ＴＢＳの数の分数として規定されるが、実用的な使用例では、これはＲＵの標準化された範囲内で丸められた値であってもよい。いくつかの実施形態では、ＲＵ又は別のパラメータの正確な数は、適用された分数又は倍数の代わりに、表３などの表に直接含まれる。
【００５０】
したがって、特定の実施形態は、対応するＲＵを有する各ＴＢサイズに対して類似のコードを達成する。結果として、ｅＮＢは、トランスポートブロックそれぞれの類似の復号性能を期待することができる。したがって、特定の実施形態では、最大ＴＢＳのみに対して（事実上、ＲＵ又は繰返しの数を通して）符号化率をシグナリングすることによって、適応変調が達成されてもよい。
【００５１】
符号化率のみが単一のＴＢＳに、たとえば最大ＴＢＳに対してシグナリングされてもよいが、ＵＥは依然として、いくつのＲＵ又は繰返しが異なるＴＢＳ値に対して、たとえば最大よりも小さいＴＢＳ値に対して適用されるべきかを決定することができてもよい。たとえば、最大ＴＢＳよりも小さいＴＢＳが選択された場合、ＲＵ又は繰返しの数は、最大ＴＢＳに対してシグナリングされたのと類似の又は同じ符号化率を維持するように選ばれてもよい。
【００５２】
合意されたように、ｅＮＢは、Ｒｅｌ−１３  ＵＬグラント／ＴＢＳへのフォールバックを示すことが動的に可能であるべきである。
「ＥＤＴ  ＵＬグラントは常に、提供されるＵＬグラントがレガシーＭｓｇ３に対するものでない限り、最大ＴＢサイズをシステム情報でブロードキャストすることを可能にするものとする。」
【００５３】
特定の実施形態では、これは、新しいＲｅｌ−１５  ＥＤＴスキームにおいてレガシーＲｅｌ−１３  ＴＢＳを示すｅＮＢによって達成されてもよい。たとえば、ｅＮＢは、ＮＢ−ＩｏＴに対して８８ビットのＴＢＳを示してもよい。
【００５４】
ＬＴＥ−Ｍの場合、Ｍｓｇ３  ＴＢＳは、より多くのシグナリングビットを要する広範囲（１６〜７１２ビットであるが、実際上は５６〜７１２ビット）であることができるので、これはより困難である。特定の実施形態では、１つのＴＢＳがレガシーへのフォールバックに提供され、ただし、ＴＢＳはハードコード化されないがＳＩで半静的にセットされる。たとえば、
ＥＤＴ−ＴＢＳｌｅｇａｃｙ−ｒ１５  ＥＮＵＭＥＲＡＴＥＤ｛５６，７２，…，７１２｝ＯＰＴＩＯＮＡＬ    −−Ｎｅｅｄ  ＯＲ
【００５５】
特定の実施形態によれば、媒体アクセス制御ランダムアクセス（ＭＡＣ  ＲＡ）応答プロトコルデータユニット（ＰＤＵ）は、ブロードキャストパラメータ、即ちＴＢＳ候補の数及び最大ＴＢＳに基づいて、選択されるのに利用可能な各ＴＢＳ候補に対するＲＡＲを含む。たとえば、ＴＢＳ候補の数（ｎｉ、又は上述の「Ｎｒ  ＴＢＳ」）が２の場合、ｅＮＢは、２つのＲＡＲがＵＥに対応する同じランダムアクセスプリアンブルＩＤ（ＲＡＰＩＤ）に対応する、ＵＥからのＥＤＴ送信に応答するであろう。別の例として、ｎｉ＝３の場合、ｅＮＢは、ワイヤレスデバイスによって選択されてもよい利用可能なＴＢＳそれぞれに対して１つずつ、３つのＲＡＲを含んでもよく、３つのＲＡＲはすべて同じＲＡＰＩＤを含む。したがって、同じＲＡＰＩＤを有するＲＡＲの数は、ブロードキャストで示されるＴＢＳ候補の数に等しくてもよい。
【００５６】
特定の実施形態では、出現順序はＴＢＳが列挙されているのと同じであってもよい。たとえば、（たとえば、上述の表２の例に示されるような）ｎｉ＝２及び最大ＴＢＳ＝４２４に基づいて、利用可能なＴＢＳが３２０ビット及び４２４ビットである場合、ｅＮＢは、３２０ビット及び４２４ビットのＴＢＳをそれぞれ有する２つのＲＡＲで応答してもよい。それらは、最小のＴＢＳから最大のＴＢＳへ、又は最大から最小のＴＢＳへと順序づけられてもよい。したがって、ＵＥは、どのＲＡＲが選択されたＴＢＳに一致することが予期されるかを予測してもよい。たとえば、ＵＥが、ＭＡＣ  ＰＤＵがＲＡＰＩＤを有する２つのＲＡＲを含むことを分かっていて、また順序に基づいてどのＲＡＲがどのＴＢＳに対応するか分かっている場合、ＵＥは、第１のＲＡＲ（又は第２のＲＡＲ）が一致するＴＢＳを有するＲＡＲであると判定し、他のＲＡＲの復号を試行することなく、適正なＲＡＲの復号に進んでもよい。
【００５７】
制御要素（ＣＥ）レベルのシステム情報（ＳＩ）においてｎｉ＝２が示され、それに対応してＵＥがこのＣＥレベルのＥＤＴプリアンブルを送信している事例に関して、非限定例が図２に与えられている。応答の際、ｅＮＢは、２つの利用可能なＴＢＳに対応する２つのＲＡＲを含むＭＡＣペイロードを構築した。上述したように、ＵＥ及びｅＮＢは両方とも、ＴＢＳ候補の数及びシステム情報における最大ＴＢＳブロードキャストというパラメータに基づいて、ＥＤＴに関してどのＴＢＳが利用可能かを判定してもよい。２つのＲＡＲは、図２では、ＭＡＣ  ＲＡＲ１及びＭＡＣ  ＲＡＲ２として示され、各ＲＡＲに使用される異なるＴＢＳを示すため、ＥＤＴ  ＴＢＳ１及びＥＤＴ  ＴＢＳ２と表示される。特定の実施形態では、ＵＥのＥＤＴに対応する各ＲＡＲに関して対応するサブヘッダにおいて、同じＲＡＰＩＤが示される。特に、図２は、２つの異なるＲＡＲであるＭＡＣ  ＲＡＲ１及びＭＡＣ  ＲＡＲ２に対応するが、同じＲＡＰＩＤを有するサブヘッダ１及びサブヘッダ２を示している。このようにして、ＵＥは、両方のＲＡＲがＵＥを対象とすると判定してもよく、ＵＥは、上述したように、選択されたＴＢＳに対応するＲＡＲを復号することができる。このようにして、ｅＮＢは、一致するＲＡＰＩＤを含むＵＥのＥＤＴ送信に応答して、選択されたＴＢＳと一致するＴＢＳを有するＲＡＲが送信されることを確保してもよい。
【００５８】
これらの実施形態では、Ｍｓｇ２サイズは増加されてもよいが、ＵＥが選択することができる各ＴＢＳに対して別個のＵＬグラントがあってもよいので、解決策は十分に柔軟であり、既存の技術と同じように動的である。このようにして、ｅＮＢは、各ＴＢＳ候補に対するＲＡＲをＵＥに提供してもよい。したがって、どのＴＢＳがＵＥによって選ばれるかにかかわらず、選択されたＴＢＳに一致するＲＡＲが選ばれる。
【００５９】
本明細書に記載の主題は、任意の適切な構成要素を使用する任意の適切なタイプのシステムにおいて実装され得るが、本明細書で開示される実施形態は、図３に示された例示的ワイヤレスネットワークなど、ワイヤレスネットワークに関連して説明される。簡単にするために、図３のワイヤレスネットワークは、ネットワーク１０６、ネットワークノード１６０及び１６０ｂ、並びにＷＤ１１０、１１０ｂ、及び１１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１６０及びワイヤレスデバイス（ＷＤ）１１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００６０】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００６１】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【００６２】
ネットワークノード１６０及びＷＤ１１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００６３】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００６４】
図３において、ネットワークノード１６０は、処理回路１７０、デバイス可読媒体１８０、インターフェース１９０、補助機器１８４、電源１８６、電力回路１８７、及びアンテナ１６２を含む。図３の例示的ワイヤレスネットワークに示されたネットワークノード１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【００６５】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥースワイヤレス技術など、ネットワークノード１６０に統合された異なるワイヤレス技術のための様々な図示された構成要素の複数のセットを含み得る。これらのワイヤレス技術は、ネットワークノード１６０内の同じ又は異なるチップ又はチップのセット及び他の構成要素内に統合され得る。
【００６６】
処理回路１７０は、ネットワークノードによって提供されているものとして本明細書に記載された任意の判定、計算又は類似の動作（たとえば、ある種の取得動作）を実行するように設定される。処理回路１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【００６７】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。たとえば、処理回路１７０は、デバイス可読媒体１８０に又は処理回路１７０内のメモリに記憶された命令を実行し得る。そのような機能性は、本明細書で論じられる様々なワイヤレス特徴、機能、又は利益のいずれかの提供を含み得る。一部の実施形態では、処理回路１７０は、システムオンチップ（ＳＯＣ）を含み得る。
【００６８】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【００６９】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及びワイヤレスネットワークによって享受される。
【００７０】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【００７１】
インターフェース１９０は、ネットワークノード１６０、ネットワーク１０６、及び／又はＷＤ１１０の間のシグナリング及び／又はデータのワイヤード又はワイヤレス通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、ワイヤレス接続を介して他のネットワークノード又はＷＤに送出されることになるデジタルデータを受信し得る。無線フロントエンド回路１９２は、フィルタ１９８及び／又は増幅器１９６の組合せを使用する適切なチャネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【００７２】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、そして、インターフェース１９０は、デジタルユニット（図示せず）の一部であるベースバンド処理回路１７４と通信し得る。
【００７３】
アンテナ１６２は、ワイヤレス信号を送信及び／又は受信するように設定された、１つ又は複数のアンテナ、又はアンテナアレイを含み得る。アンテナ１６２は、無線フロントエンド回路１９０に結合され得、ワイヤレスにデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【００７４】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００７５】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１６０の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００７６】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図３に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【００７７】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末���も称され得る。
【００７８】
図示されているように、ワイヤレスデバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１１０によってサポートされる異なるワイヤレス技術のための、図示された構成要素のうちの１つ又は複数の構成要素の複数のセットを含み得る。これらのワイヤレス技術は、ＷＤ１１０内の他の構成要素と同じ又は異なるチップ又はチップのセットに統合され得る。
【００７９】
アンテナ１１１は、ワイヤレス信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【００８０】
図示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。無線フロントエンド回路１１２は、ワイヤレス接続を介して他のネットワークノード又はＷＤに送出されることになるデジタルデータを受信し得る。無線フロントエンド回路１１２は、フィルタ１１８及び／又は増幅器１１６の組合せを使用して適切なチャネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【００８１】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【００８２】
図示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【００８３】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。それらの特定の実施形態のいずれかにおいて、デバイス可読記憶媒体に記憶された命令を実行してもしなくても、処理回路１２０は、記載された機能性を実行するように設定することができる。そのような機能性によって提供される利益は、単独で処理回路１２０に又はＷＤ１１０の他の構成要素に限定されず、全体としてのＷＤ１１０によって、及び／又は一般にエンドユーザ及びワイヤレスネットワークによって、享受される。
【００８４】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【００８５】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合されたものとして考えられ得る。
【００８６】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又はワイヤレスネットワークと通信することができ、それらが本明細書に記載の機能性から利益を得ることを可能にし得る。
【００８７】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【００８８】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【００８９】
図４は、図３を参照して上述したワイヤレスデバイス１１０ｂ又は１１０ｃなどのワイヤレスデバイスで使用される、方法４００のフローチャートの一例を示している。方法４００は、ブロードキャストが、図３を参照して上述したネットワークノード１６０などのネットワークノードから受信される、ステップ４１０で始まってもよい。ブロードキャストは、早期データ送信の最大トランスポートブロックサイズ及びトランスポートブロックサイズ候補の数を示す。たとえば、ブロードキャストは、明示的な最大ＴＢＳサイズ、及びワイヤレスデバイスが選んでもよい潜在的なＴＢＳ候補の数の指示、たとえば数１、２、３、４、又は数値にマッピングする他の指示を示す、システム情報ブロードキャストであってもよい。たとえば、ネットワークノードが利用可能なリソースをほとんど有さない場合、少数のＴＢＳ候補、たとえば１又は２を示してもよく、それにより、早期データ送信を受信するのに必要なブラインド復号の量が低減される。
【００９０】
ステップ４２０で、ワイヤレスデバイスはＥＤＴに対するＴＢＳサイズを選択してもよい。トランスポートブロックサイズは、最大トランスポートブロックサイズ及びトランスポートブロックサイズ候補の数に対応する表入力に基づいて選択される。特定の実施形態では、表入力は、ワイヤレスデバイスに利用可能な１つ又は複数のトランスポートブロックサイズを示す。たとえば、可能な最大ＴＢＳと候補の数との各組合せは、特定のＴＢＳ値と関連付けられていてもよい。これらの関連は、複数選択肢のＴＢＳ選択表の一例を示している表２などの表に格納されてもよい。この表は、ワイヤレスデバイスのメモリに記憶されるか、又は他の方法でネットワークを通じてアクセス可能であってもよい。たとえば、周期的更新は、ネットワーク、セル、ネットワークノードのセットなどに対して、特定のＴＢＳ候補の表を更新してもよい。本明細書に記載する上述の例では、「表入力」は、ワイヤレスデバイスに記憶されるか又はワイヤレスデバイスでアクセス可能であってもよい、表又は他のデータ構造における任意の入力を指す。
【００９１】
ステップ４３０で、ワイヤレスデバイスは、１つ又は複数のトランスポートブロックでアップリンクデータを送信してもよい。各トランスポートブロックは選択されたトランスポートブロックサイズを有する。このようにして、ワイヤレスデバイスは、ワイヤレスデバイス及びネットワークノードのリソースを均衡させる予測可能な形で、早期データ送信でデータを適切に通信してもよい。
【００９２】
特定の実施形態では、方法４００は、１つ若しくは複数の追加又は任意のステップ或いはサブステップを含んでもよい。特定の実施形態では、方法４００は、選択されたトランスポートブロックサイズに基づいて、ワイヤレスデバイスが送信のためのリソースユニットの数及び繰返しの数を決定する、任意のステップ４４０を含んでもよい。たとえば、ワイヤレスデバイスは、選択されたＴＢＳサイズに基づいて、特定の符号化率又は他のサービスパラメータの品質を維持するリソースユニットの数を決定してもよい。特に、示された最大ＴＢＳよりも小さいＴＢＳが選ばれた場合、リソースユニットの数は、たとえば上述の表３に例証されるように、適宜増減されてもよい。いくつかの実施形態では、リソースユニットの数及び／又は繰返しの数は、最大ＴＢＳと関連付けられた符号化率に基づいてもよい。このようにして、ネットワークノードが、最大ＴＢＳに対して単一のリソースユニット又は繰返し値のみを示した場合であっても、ワイヤレスデバイスは、選択したＴＢＳに対するリソースユニット及び／又は繰返しの適切な数を決定することが可能であってもよい。
【００９３】
特定の実施形態によれば、早期データ送信を受信するネットワークノードは、１つ又は複数のランダムアクセス応答（ＲＡＲ）でＥＤＴに応答してもよい。特定の実施形態では、ワイヤレスデバイスは、ＴＢＳが選択される表入力と関連付けられた各ＴＢＳに対するＲＡＲを含むメッセージを受信する。たとえば、ワイヤレスデバイスが、対応するＲＡＰＩＤを含む適正なＴＢＳサイズのＲＡＲを受信することを確保するため、ネットワークノードは、（たとえば、ブロードキャストで示される最大ＴＢＳ及び候補の数に基づいたＴＢＳ候補を含む共有の表に基づいて）各候補ＴＢＳに対して複数のＲＡＲを構築してもよい。ワイヤレスデバイスはさらに、受信したＲＡＲそれぞれに対するサブヘッダを含むヘッダを受信してもよい。ワイヤレスデバイスが適正なＲＡＲを特定できるように、各候補ＴＢＳに対する複数のＲＡＲは同じＲＡＰＩＤを含んでもよい。応答の際、ワイヤレスデバイスは、アップリンクグラントに従って応答を送信してもよく、アップリンクグラントは、選択されたトランスポートブロックサイズに対応するランダムアクセス応答で受信されたものである。
【００９４】
図５は、図３を参照して上述したようなネットワークノード１６０などのネットワークノードで使用される、方法５００のフローチャートの一例を示している。方法５００は、ネットワークノードが早期データ送信のための最大トランスポートブロックサイズ及びトランスポートブロックサイズ候補の数を決定する、ステップ５１０で始まってもよい。最大ＴＢＳ及びＴＢＳ候補の数は、ネットワークノードに近接したネットワーク条件、既存の接続の数、ネットワーク又はネットワークノードがサーブするセルに関するサービス要件の品質など、様々な因子に基づいてもよい。
【００９５】
最大ＴＢＳ及び候補の数が決定された後、ステップ５２０で、ネットワークノードは、決定された最大トランスポートブロックサイズ及びトランスポートブロックサイズ候補の数をブロードキャストしてもよい。特定の実施形態では、これらの決定されたパラメータは、システム情報ブロードキャストでブロードキャストされてもよい。このようにして、これらのパラメータは、上述の図１に示される競合ベースのランダムアクセス手続きなどの任意のアクセス手続きをまだ実施していないデバイスを含む、範囲内のすべてのワイヤレスデバイスにアクセス可能であってもよい。
【００９６】
ステップ５３０で、ネットワークノードは、１つ又は複数のトランスポートブロックを含む早期データ送信を受信する。１つ又は複数のトランスポートブロックはすべてトランスポートブロックサイズを有するが、ブロードキャストで示される最大ＴＢＳサイズとは異なってもよい。特に、ＴＢＳサイズは、最大トランスポートサイズ及びトランスポートブロックサイズ候補の示された数に対応する表入力に基づいて選択されてもよい。上述したように、ワイヤレスデバイスは、同じ表入力に基づいてＴＢＳを決定することができてもよい。したがって、ネットワークノードは、ＥＤＴに対して限定された数のＴＢＳのみを予測してもよい。
【００９７】
ステップ５４０で、早期データ送信は、表入力で示される利用可能なトランスポートブロックサイズに従って、１つ又は複数のトランスポートブロックを復号することによって復号される。たとえば、ネットワークノードは、以前にどのＴＢＳがワイヤレスデバイスによって選択されたか分かっていないので、送信をブラインド復号してもよい。しかしながら、ネットワークノードは、示された最大ＴＢＳ及び候補の数に基づいて、ブラインド復号の量を制限してもよい。たとえば、示されるパラメータは、表入力の単一の利用可能なＴＢＳにのみ対応してもよい。したがって、ネットワークノードは単に、その単一のＴＢＳを使用して復号すればよい。或いは、パラメータは１つを超える利用可能なＴＢＳに対応するが、それにかかわらず、ネットワークノードは、そのブラインド復号を限定されたセットのＴＢＳに限定してもよく、それによって無駄になるリソースの数が低減される。
【００９８】
特定の実施形態では、方法５００は、１つ若しくは複数の追加又は任意のステップ或いはサブステップを含んでもよい。特定の実施形態では、方法５００は、ネットワークノードが、表入力で示される１つ又は複数の利用可能なトランスポートブロックサイズそれぞれに対するランダムアクセス応答を含むメッセージを送信する、任意のステップ５５０を含んでもよい。図２を参照して上述したように、メッセージは、ＴＢＳ候補それぞれに対する複数のＲＡＲ（たとえば、最大ＴＢＳ及び候補の数に従って表入力で示されるもの）を含んでもよい。さらに、メッセージのヘッダは、ネットワークノードがＥＤＴをそこから受信しているワイヤレスデバイスに対応する同じＲＡＰＩＤをそれぞれ有する、各ＲＡＲに対するサブヘッダを含んでもよい。このようにして、ワイヤレスデバイスが、選ばれたＴＢＳを含む適正なＲＡＰＩＤを有するＲＡＲを受信することが確保される。
【００９９】
特定の実施形態では、ネットワークノードはさらに、最大トランスポートブロックサイズと関連付けられた早期データ送信のための符号化率を示してもよい。たとえば、ネットワークノードは、最大ＴＢＳのみに対する符号化率を明示的又は間接的に示してもよい。受信した早期データ送信に関するリソースユニットの数及び繰返しの数は、示される符号化率に基づく。たとえば、最大ＴＢＳがワイヤレスデバイスによって選ばれた場合、リソースユニット又は繰返しの数は、ネットワークノードによって示される符号化率に対応してもよい。しかしながら、上述したように、別のより小さいＴＢＳが選ばれた場合、リソースユニット又は繰返しの数は、示される符号化率に依然として基づくが、異なるＴＢＳに基づいて調節されてもよい。たとえば、リソースユニット又は繰返しの数は、選ばれたＴＢＳ及び最大ＴＢＳの相対サイズに基づいて増減されてもよい。
【０１００】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る。メモリに記憶されたプログラムコードは、１つ若しくは複数の電気通信及び／又はデータ通信プロトコルを実行するプログラム命令、並びに本明細書に記載される技術の１つ若しくは複数を実施する命令を含む。いくつかの実装形態では、処理回路は、本開示の１つ又は複数の実施形態による対応する機能をそれぞれの機能的ユニットに実施させるのに使用されてもよい。
【０１０１】
ユニットという用語は、エレクトロニクス、電気デバイス、及び／又は電子デバイスの分野における従来の意味を有してもよく、たとえば、本明細書に記載されるような、それぞれのタスク、手順、計算、出力、及び／又は表示機能などを実施する、電気及び／又は電子回路、デバイス、モジュール、プロセッサ、メモリ、論理固体及び／又は離散的デバイス、コンピュータプログラム又は命令を含んでもよい。
【０１０２】
いくつかの実施形態では、コンピュータプログラム、コンピュータプログラム製品、又はコンピュータ可読記憶媒体は、コンピュータで実行されたとき、本明細書に開示する実施形態のいずれかを実施する命令を含む。さらなる例では、命令は、信号又はキャリアで伝達され、コンピュータ上で実行可能であり、実行されたとき本明細書に開示する実施形態のいずれかを実施する。
【図１】
2021519553.tif 000009
【図２】
2021519553.tif 000010
【図３】
2021519553.tif 000011
【図４】
2021519553.tif 000012
【図５】
2021519553.tif 000013
【国際調査報告】
2021519553.tif 000014
2021519553.tif 000015